(57)【要約】【課題】放熱効果が高い液冷式放熱装置の提供。【解決手段】第１放熱モジュールと第２放熱モジュールの間に放熱ファンが挟装され、且つ第１放熱モジュールと第２放熱モジュールが連接管で連接されている。これにより放熱ファンの送入或いは吸入する空気が同時に第１放熱モジュールと第２放熱モジュールに対して放熱を行い、且つ放熱ファンの送入或いは吸入する空気が第１放熱モジュールの第１連続曲管と第２連続曲管の配列方式の阻止を受けることがなく、放熱ファンの風の抵抗が有効に減らされて全体の放熱装置の放熱効果が高められている。【選択図】図２
0003125425.tif 000002
【実用新案登録請求の範囲】
【請求項１】
液冷式放熱装置において、
第１放熱モジュールであって、複数の第１放熱フィン、及び第１連続曲管を包含し、複数の第１放熱フィンは横向きに相互に平行に配列され並びに相互に特定距離離間し、第１連続曲管は縦向きに配列され並びに複数の第１放熱フィン内に挿入され、且つ第１連続曲管は第１入口、及び第１出口を具えている、上記第１放熱モジュールと、
第２放熱モジュールであって、上述の第１放熱モジュールと並列に配列され、且つ複数の第２放熱フィン、及び第２連続曲管を包含し、複数の第２放熱フィンは横向きに相互に平行に配列され並びに相互に特定距離離間し、第２連続曲管は縦向きに配列され並びに複数の第２放熱フィン内に挿入され、且つ第２連続曲管は第２入口、及び第２出口を具えている、上記第２放熱モジュールと、
第１連続曲管の第１出口と第２連続曲管の第２入口を連接する連接管と、
第１放熱モジュールと第２放熱モジュールの間に挟装され、且つ入風区、及び出風区を包含し、そのうち入風区は第１放熱モジュールと第２放熱モジュールのうちいずれか一方に対向し、出風区は第１放熱モジュールと第２放熱モジュールのうちもう一方に対向する、放熱ファンと、
を包含することを特徴とする、液冷式放熱装置。
【請求項２】
請求項１記載の液冷式放熱装置において、複数の第１放熱フィンにそれぞれ相互に対応する複数の縦向き貫通孔が開設され、且つ第１連続曲管が縦向きに配列され並びにこれら縦向き貫通孔内に挿入されることを特徴とする、液冷式放熱装置。
【請求項３】
請求項１記載の液冷式放熱装置において、複数の第２放熱フィンにそれぞれ相互に対応する複数の縦向き貫通孔が開設され、且つ第２連続曲管が縦向きに配列され並びにこれら縦向き貫通孔内に挿入されることを特徴とする、液冷式放熱装置。
【請求項４】
請求項１記載の液冷式放熱装置において、流体を更に包含し、該流体は第１入口より流入し、並びに第１連続曲管、連接管、第２連続曲管を通り第２出口より流出することを特徴とする、液冷式放熱装置。
【請求項５】
請求項４記載の液冷式放熱装置において、流体が水とされたことを特徴とする、液冷式放熱装置。
【考案の詳細な説明】
【技術分野】
【０００１】
本考案は一種の放熱装置に係り、特に液冷式放熱装置に適用される構造に関する。
【背景技術】
【０００２】
一般にデジタル製品において、その運転時に発生する熱を有効に排出してデジタル製品を正常に運転させる必要がある。
【０００３】
コンピュータを例に挙げると、その主要な発熱源はＣＰＵとされ、並びにＣＰＵ外部に放熱装置が取り付けられ、この放熱装置は一般に放熱モジュールと放熱ファンを包含し、並びに放熱モジュール内を冷却水が流動し、ヒートパイプ原理を利用して冷却水にＣＰＵの熱量を付帯させた後、放熱ファンにより空気を送入或いは吸入する。
【０００４】
図１は周知の液冷式放熱装置の立体図であり、それは並列配列された第１放熱モジュール９１と第２放熱モジュール９２を示し、並びに第１放熱モジュール９１外部に放熱ファン９３が設けられている。しかし、放熱ファン９３が空気の送入或いは吸入を行なう時、その空気流量は第２放熱モジュール９２に進入した後に少なくなり、放熱効果不良を形成する。
【０００５】
このほか、第１放熱モジュール９１に第１連続曲管９１１が取り付けられ、第２放熱モジュール９２に第２連続曲管９２１が取り付けられ、第１連続曲管９１１と第２連続曲管９２１が相互に交錯するよう配列される時、放熱ファン９３の送入或いは吸入する空気が第１連続曲管９１１と第２連続曲管９２１の阻止により風の抵抗を増加し、これにより全体の放熱効果に不良な影響を発生する。
【考案の開示】
【考案が解決しようとする課題】
【０００６】
本考案は放熱効果が高い液冷式放熱装置を提供することを目的とする。
【課題を解決するための手段】
【０００７】
請求項１の考案は、液冷式放熱装置において、
第１放熱モジュールであって、複数の第１放熱フィン、及び第１連続曲管を包含し、複数の第１放熱フィンは横向きに相互に平行に配列され並びに相互に特定距離離間し、第１連続曲管は縦向きに配列され並びに複数の第１放熱フィン内に挿入され、且つ第１連続曲管は第１入口、及び第１出口を具えている、上記第１放熱モジュールと、
第２放熱モジュールであって、上述の第１放熱モジュールと並列に配列され、且つ複数の第２放熱フィン、及び第２連続曲管を包含し、複数の第２放熱フィンは横向きに相互に平行に配列され並びに相互に特定距離離間し、第２連続曲管は縦向きに配列され並びに複数の第２放熱フィン内に挿入され、且つ第２連続曲管は第２入口、及び第２出口を具えている、上記第２放熱モジュールと、
第１連続曲管の第１出口と第２連続曲管の第２入口を連接する連接管と、
第１放熱モジュールと第２放熱モジュールの間に挟装され、且つ入風区、及び出風区を包含し、そのうち入風区は第１放熱モジュールと第２放熱モジュールのうちいずれか一方に対向し、出風区は第１放熱モジュールと第２放熱モジュールのうちもう一方に対向する、放熱ファンと、
を包含することを特徴とする、液冷式放熱装置としている。
請求項２の考案は、請求項１記載の液冷式放熱装置において、複数の第１放熱フィンにそれぞれ相互に対応する複数の縦向き貫通孔が開設され、且つ第１連続曲管が縦向きに配列され並びにこれら縦向き貫通孔内に挿入されることを特徴とする、液冷式放熱装置としている。
請求項３の考案は、請求項１記載の液冷式放熱装置において、複数の第２放熱フィンにそれぞれ相互に対応する複数の縦向き貫通孔が開設され、且つ第２連続曲管が縦向きに配列され並びにこれら縦向き貫通孔内に挿入されることを特徴とする、液冷式放熱装置としている。
請求項４の考案は、請求項１記載の液冷式放熱装置において、流体を更に包含し、該流体は第１入口より流入し、並びに第１連続曲管、連接管、第２連続曲管を通り第２出口より流出することを特徴とする、液冷式放熱装置としている。
請求項５の考案は、請求項４記載の液冷式放熱装置において、流体が水とされたことを特徴とする、液冷式放熱装置としている。
【考案の効果】
【０００８】
本考案によると、第１放熱モジュールと第２放熱モジュールの間に放熱ファンが挟装され、且つ第１放熱モジュールと第２放熱モジュールが連接管で連接されている。これにより放熱ファンの送入或いは吸入する空気が同時に第１放熱モジュールと第２放熱モジュールに対して放熱を行い、且つ放熱ファンの送入或いは吸入する空気が第１放熱モジュールの第１連続曲管と第２連続曲管の配列方式の阻止を受けることがなく、放熱ファンの風の抵抗が有効に減らされて全体の放熱装置の放熱効果が高められている。
【考案を実施するための最良の形態】
【０００９】
本考案の液冷式放熱装置は第１放熱モジュール、第２放熱モジュール、連接管、及び放熱ファンを包含し、そのうち、第１放熱モジュールは複数の第１放熱フィン、及び第１連続曲管を包含し、複数の第１放熱フィンは横向きに相互に平行に配列され並びに相互に特定距離離間し、第１連続曲管は縦向きに配列され並びに複数の第１放熱フィン内に挿入され、且つ第１連続曲管は第１入口、及び第１出口を具えている。
【００１０】
このほか、第２放熱モジュールは上述の第１放熱モジュールと並列に配列され、且つ第２放熱モジュールは複数の第２放熱フィン、及び第２連続曲管を包含し、複数の第２放熱フィンは横向きに相互に平行に配列され並びに相互に特定距離離間し、第２連続曲管は縦向きに配列され並びに複数の第２放熱フィン内に挿入され、且つ第２連続曲管は第２入口、及び第２出口を具え、連接管により第１連続曲管の第１出口と第２連続曲管の第２入口が連接されている。
【００１１】
このほか放熱ファンは第１放熱モジュールと第２放熱モジュールの間に挟装され、且つ放熱ファンは入風区、及び出風区を包含し、そのうち入風区は第１放熱モジュールと第２放熱モジュールのうちいずれか一方に対向し、出風区は第１放熱モジュールと第２放熱モジュールのうちもう一方に対向する。
【００１２】
上述の構造により放熱ファンが第１放熱モジュールと第２放熱モジュールの間に挟装され、ゆえに放熱ファンの送入或いは吸入する空気が同時に第１放熱モジュールと第２放熱モジュールに対して放熱を行い、且つ放熱ファンの送入或いは吸入する空気が第１連続曲管と第２連続曲管の配列方式の阻止を受けず、即ち放熱ファンの風の抵抗が有効に減らされ、これにより全体の放熱装置の放熱効果が高められる。
【００１３】
上述の複数の第１放熱フィンにはそれぞれ相互に対応する複数の縦向き貫通孔が開設され、且つ第１連続曲管は縦向きに配列され並びに複数の縦向き貫通孔内に挿入される。同様に、複数の第２放熱フィンにはそれぞれ相互に対応する複数の縦向き貫通孔が開設され、且つ第２連続曲管は縦向きに配列され並びに複数の縦向き貫通孔内に挿入される。
【００１４】
このほか、上述の構造は流体、例えば水、アルコール類等の流体を包含し、この流体は第１入口より流入し、並びに第１連続曲管、連接管、及び第２連続曲管を通り第２出口より流出する。
【実施例１】
【００１５】
図２は本考案の実施例の分解図、図３は本考案の実施例の組合せ図である。それには液冷式放熱装置が示され、且つそれは第１放熱モジュール１、第２放熱モジュール２、連接管３、及び放熱ファン４を包含する。
【００１６】
上述の第１放熱モジュール１は複数の第１放熱フィン１１、及び第１連続曲管１２を包含し、複数の第１放熱フィン１１は横向きに相互に平行に配列され並びに相互に特定距離ｄ離間し、且つ複数の第１放熱フィン１１にそれぞれ相互に対応する複数の縦向き貫通孔１１１が開設され、第１連続曲管１２は縦向きに配列され並びに複数の第１放熱フィン１１の複数の縦向き貫通孔１１１内に挿入され、本実施例では、第１連続曲管１２はＳ形状に折り曲げられ並びに第１入口１２１、及び第１出口１２２を具えている。
【００１７】
このほか、第２放熱モジュール２は上述の第１放熱モジュール１と並列に配列され、且つ第２放熱モジュール２は複数の第２放熱フィン２１、及び第２連続曲管２２を包含し、複数の第２放熱フィン２１は横向きに相互に平行に配列され並びに相互に特定距離Ｄ離間し、複数の第２放熱フィン２１にそれぞれ相互に対応する複数の縦向き貫通孔２１１が開設され、第２連続曲管２２は縦向きに配列され並びに複数の第２放熱フィン２１の複数の縦向き貫通孔２１１内に挿入され、本実施例では、第２連続曲管２２はＳ形状に折り曲げられ並びに第２入口２２１、及び第２出口２２２を具えている。
【００１８】
このほか、連接管３により上述の第１放熱モジュール１の第１連続曲管１２の第１出口１２２と第２放熱モジュール２の第２連続曲管２２の第２入口２２１が連接され、且つ放熱ファン４が上述の第１放熱モジュール１と第２放熱モジュール２の間に挟装され、また、放熱ファン４は入風区４１、及び出風区４２を包含し、且つ放熱ファン４の入風区４１は第１放熱モジュール１に対向し、放熱ファン４の出風区４２は第２放熱モジュール２に対向する。
【００１９】
冷却を行なう時は、水とされる流体５が第１連続曲管１２の第１入口１２１より流入させられ、並びに第１連続曲管１２、連接管３、及び第２連続曲管２２を通り第２連続曲管２２の第２出口２２２より流出し、ゆえに流体５は第１放熱モジュール１と第２放熱モジュール２を流れ、且つこれと同時に、放熱ファン４が空気の送入或いは吸入を行い、放熱ファン４の空気に対する吸入は第１放熱モジュール１に対して行なわれ、放熱ファン４の空気に対する送入は第２放熱モジュール２に対して行なわれ、これにより、発熱源の熱量がヒートパイプの原理により流体５に奪われて第１放熱モジュール１の第１連続曲管１２、及び第２放熱モジュール２の第２連続曲管２２に至った後、更に放熱ファン４による空気の送入或いは吸入により放熱が行なわれる。
【００２０】
これにより、上述の構造を利用し、放熱ファン４が第１放熱モジュール１と第２放熱モジュール２の間に挟装され、ゆえに、放熱ファン４の送入或いは吸入する空気が同時に第１放熱モジュール１の第１連続曲管１２と第２放熱モジュール２の第２連続曲管２２に対して放熱を行い、また、放熱ファン４の送入或いは吸入する空気が第１連続曲管１２と第２連続曲管２２の配列方式の阻止を受けず、即ち放熱ファン４の風の抵抗が有効に減らされ、これにより全体の放熱装置の放熱効果が高められる。
【００２１】
以上の実施例は本考案の説明のために提示されたものであり、本考案の実施範囲を限定するものではなく、本考案に基づきなしうる細部の修飾或いは改変は、いずれも本考案の請求範囲に属する。
【図面の簡単な説明】
【００２２】
【図１】周知の液冷式放熱装置の立体図である。
【図２】本考案の実施例の分解図である。
【図３】本考案の実施例の組合せ図である。
【符号の説明】
【００２３】
１  第１放熱モジュール            １１  第１放熱フィン
１１１  縦向き貫通孔              １２  第１連続曲管
１２１  第１入口                  １２２  第１出口
２  第２放熱モジュール            ２１  第２放熱フィン
２１１  縦向き貫通孔              ２２  第２連続曲管
２２１  第２入口                  ２２２  第２出口
３  連接管                        ４  放熱ファン
４１  入風区                      ４２  出風区
５  流体
９１  第１放熱モジュール          ９１１  第１連続曲管
９２  第２放熱モジュール          ９２１  第２連続曲管
９３  放熱ファン
【図１】
0003125425.tif 000003
【図２】
0003125425.tif 000004
【図３】
0003125425.tif 000005